(57)【特許請求の範囲】
【請求項１】
平面状の発光パネル及びこの発光パネルの非発光面側に配置された基板を収納するケースを有する光源部と、前記発光パネルを点灯制御するための基板を収納するハウジングを有し、前記光源部の背面と着脱自在に構成された装着部と、を備えた照明装置であって、
前記光源部又は前記装着部の内の一方は、端子部を備え、他方は端子受部を備え、
前記端子部及び前記端子受部は、前記光源部が前記装着部に装着されたときに前記端子部が前記端子受部に差し込まれる位置に設けられ、
前記端子受部は、前記端子部との接触部と、前記端子受部を備えている前記光源部又は前記装着部の基板に電気接続される固定部と、前記接触部と前記固定部との間を連結する接続部と、を備え、
前記接続部は、前記端子受部にかかる、前記基板から前記固定部を剥がそうとする応力を逃がす揺動部を有していることを特徴とする照明装置。
【請求項２】
前記接触部は、前記端子部を挟み込むクリップ状に形成され、
前記固定部は、前記基板に半田によって接続されていることを特徴とする請求項１に記載の照明装置。
【請求項３】
前記揺動部は、前記端子部の差し込み方向と平行な平面を有している板状弾性体であることを特徴とする請求項１又は請求項２に記載の照明装置。
【請求項４】
前記板状弾性体は、長手方向への伸縮を可能にする湾曲部を有していることを特徴とする請求項３に記載の照明装置。
【請求項５】
前記湾曲部がＵ字状であることを特徴とする請求項４に記載の照明装置。
【請求項６】
前記光源部は、係合部と、該係合部に向かい合う位置に設けられている保持部と、を備え、
前記装着部は、前記保持部を受ける被保持部と、前記被保持部方向に付勢されつつ摺動可能であり、前記係合部と係合して前記被保持部と共に前記光源部を挟持する被係合部と、を備え、
前記端子部は、該端子部を備えている前記光源部の保持部又は前記装着部の被保持部の近傍に設けられていることを特徴とする請求項１乃至請求項５の何れか一項に記載の照明装置。
【請求項７】
前記光源部の発光パネルとして、有機ＥＬ素子が用いられることを特徴とする請求項１乃至請求項６の何れか一項に記載の照明装置。
【発明の詳細な説明】
【技術分野】
【０００１】
本発明は、光源にＥＬ素子を用いた照明装置に関する。
【背景技術】
【０００２】
有機ＥＬ素子は、低電圧で高輝度の発光が可能であり、有機化合物の種類によって様々な発光色が得られ、また、平面状の発光パネルとしての製造が容易である。そのため、近年、照明器具の発光源に用いることが注目されている。
【０００３】
有機ＥＬ素子の発光パネルを用いた照明装置において、発光パネルが寿命に達した場合、又は、他のサイズ、種類の発光パネルを使用する場合、発光パネルの交換が必要になる。従って、有機ＥＬ素子を光源とする発光パネルを用いた照明装置においては、発光パネルの交換を容易に行えるように構成されていることが望ましい。
【０００４】
例えば、下記特許文献１には、有機ＥＬ素子を用いる発光パネルを発光源として用いる、「有機ＥＬ照明パネル用取り付け装置」が開示されている。同文献１に示される装置においては、接触パッドを使用し、発光パネルの自重によって給電部との接続を確立することが記載されている。
【先行技術文献】
【特許文献】
【０００５】
【特許文献１】特開２００７−１７２９１８号公報
【発明の開示】
【発明が解決しようとする課題】
【０００６】
この種の照明装置においては、確実な電気的に接続のため、例えば、平刃形コネクタ等の形式の、端子部と該端子部を差し込む端子受部とを有する接続構造が好適に採用される。しかしながら、このような接続構造を用いる場合、発光パネルの交換時に接続構造にかかる応力によって、端子部が差し込まれる端子受部が基板から剥がれ、損傷することがある。
【０００７】
本発明は、上記課題を解決するものであり、端子部と該端子部を差し込む端子受部とを有する接続構造を備え、発光パネルの交換等において、端子受部が基板から剥がれ、損傷することを防止することができる照明装置を提供することを目的とする。
【課題を解決するための手段】
【０００８】
上記課題を解決するため、本発明は、平面状の発光パネル及びこの発光パネルの非発光面側に配置された基板を収納するケースを有する光源部と、前記発光パネルを点灯制御するための基板を収納するハウジングを有し、前記光源部の背面と着脱自在に構成された装着部と、を備えた照明装置であって、前記光源部又は前記装着部の内の一方は、端子部を備え、他方は端子受部を備え、前記端子部及び前記端子受部は、前記光源部が前記装着部に装着されたときに前記端子部が前記端子受部に差し込まれる位置に設けられ、前記端子受部は、前記端子部との接触部と、前記端子受部を備えている前記光源部又は前記装着部の基板に電気接続される固定部と、前記接触部と前記固定部との間を連結する接続部と、を備え、前記接続部は、前記端子受部にかかる、前記基板から前記固定部を剥がそうとする応力を逃がす揺動部を有していることを特徴とする。上記照明装置において、前記接触部は、前記端子部を挟み込むクリップ状に形成され、前記固定部は、前記基板に半田によって接続されていることが好ましい。
【０００９】
上記照明装置において、前記揺動部は、前記端子部の差し込み方向と平行な平面を有している板状弾性体であることが好ましい。
【００１０】
上記照明装置において、前記板状弾性体は、長手方向への伸縮を可能にする湾曲部を有していることが好ましい。
【００１１】
上記照明装置において、前記湾曲部がＵ字状であることが好ましい。
【００１２】
上記照明装置において、前記光源部は、係合部と、該係合部に向かい合う位置に設けられている保持部と、を備え、前記装着部は、前記保持部を受ける被保持部と、前記被保持部方向に付勢されつつ摺動可能であり、前記係合部と係合して前記被保持部と共に前記光源部を挟持する被係合部と、を備え、前記端子部は、該端子部を備えている前記光源部の保持部又は前記装着部の被保持部の近傍に設けられていることが好ましい。
【００１３】
上記照明装置において、前記光源部の発光パネルとして、有機ＥＬ素子が用いられることが好ましい。
【発明の効果】
【００１４】
本発明によれば、端子受部の揺動部によって、光源部を装着部に着脱する際に端子受部にかかる応力を逃がすことができるので、端子受部が基板から剥がれ、損傷を受けることを有効に防止することができる。
【図面の簡単な説明】
【００１５】
【図１】本発明の一実施形態に係る照明装置の分解斜視図。
【図２】同照明装置を異なる角度から見た斜視図。
【図３】上記照明装置において装着部に光源部を装着するステップを説明するための側面図。
【図４】同照明装置の分解斜視図。
【図５】上記光源部のケースをカバーに嵌合させる直前の状態の端子部を示す一部断面側面図。
【図６】同光源部のケースをカバーに嵌合させる直前の状態の端子部を示す一部破断斜視図。
【図７】同光源部の配線基板と端子部との構成を示す斜視図。
【図８】上記光源部の端子部の下面図。
【図９】同端子部の折曲部の作用、効果を説明するための正面図。
【図１０】上記装着部の端子受部の斜視図。
【図１１】同装着部において絶縁板を取り外した状態の装着部を示す斜視図。
【図１２】同端子受部の取り付け状態を説明するための上記装着部の背面図。
【発明を実施するための形態】
【００１６】
本発明の一実施形態に係る照明装置は、光源部と、装着部と、端子部と、端子受部と、を備えているものに関する。前記光源部は、輝度を上げると比較的寿命の短くなる有機ＥＬ素子等を用いる発光パネルを有する。前記装着部は、前記発光パネルの制御回路基板を有し、前記光源部へと着脱自在に構成されている。前記端子部は、前記光源部及び前記装着部の内の一方に設けられ、前記端子受部は、他方に設けられる。そして、前記端子部は、前記光源部の装着部への着脱時に、摺動等の物理的な力がかかることによって生じる応力に抗して前記端子部が基板から抜けることを防ぐ機構（以下、端子部保護機構という）を備えたことを特徴とする。また、前記端子受部は、上記着脱時の応力に加えて、着脱方向以外の応力を逃がして前記端子受け部が基板から抜け、損傷を受けることを防ぐ機構（以下、端子受部保護機構という）を備えたことを特徴とする。ここで、「応力に抗する」とは、応力に抗して端子部の位置が動かないようにすることを意味する。また「応力を逃がす」とは、応力が端子受部の基板との接続部分に伝わらないようにすることを意味する。
【００１７】
以下、前記特徴を有する照明装置の実施例について、添付の図面を参照しつつ説明する。図１は、照明装置１の分解状態の構成を示す。照明装置１は、光源部２と、装着部３と、で構成されている。
【００１８】
光源部２は、有機ＥＬ素子を用いる発光パネル２０を備える。光源部２は、発光パネル２０が寿命に達した場合、又は、出力、色温度等種類の異なる発光パネルを使用する場合に交換される。光源部２は、装着部３に向かい合う側（背面）の一端部に、隠れ線で略記するように、２つの係合部２１、２２と、該係合部２１、２２とは異なる端部に設けられている１つの保持部２３と、保持部２３近傍に設けられている１対の端子部４ａ、４ｂと、を備える。係合部２１、２２及び保持部２３は、対応する凹部に嵌合又は係合する突起状の部分を有している。係合部（係合部２１、２２）が２つ設けられることにより、装着部３への装着時の光源部２のぶれ動作を少なくすることができる。端子部４ａ、４ｂは、平刃形のものであり、発光パネル２０の非発光面側に載置された配線基板７（後述する図４参照）に接続されている。端子部４ａ、４ｂの形状は、差し込むタイプのものであれば、棒状等の他の形状でもよい。
【００１９】
装着部３は、天井、壁、床、スタンド等に固定して用いるものである。装着部３は、ハウジング３０と、ハウジング３０の収納部３０ａに収納されている回路基板３５（後述する図４参照）と、２つの被係合部３１、３２と、１つの被保持部３３と、端子受部５ａ、５ｂと、を有している。被係合部３１、３２及び被保持部３３は、光源部２の係合部２１、２２及び保持部２３と夫々対応する位置に設けられている。被保持部３３は、保持部２３に保持される凹部を有している。被係合部３１、３２は、図示しないばねによって矢印６２方向に付勢されつつ、被保持部３３から離れる向き（矢印６１）に摺動可能で、係合部２１、２２に係合される凹部を有しており、被保持部３３と共に光源部２を挟持する。端子受部５ａ、５ｂは、収納部３０ａ内の回路基板に接続されている。端子受部５ａ、５ｂは、被係合部３１、３２と被保持部３３とが光源部２を挟持することによって、端子部４ａ、４ｂが差し込まれる位置に設けられている。
【００２０】
図２は、照明装置１の光源部２及び装着部３を、図１に示す矢印６３方向から見た図である。本図は、特に、係合部２１、２２と、保持部２３と、端子部４ａ、４ｂと、の位置及び形状を、明らかにしている。ハウジング３０は、収納部３０ａに収納した回路基板を覆う絶縁板３６を備えている。
【００２１】
図３は、ユーザが、光源部２を装着部３に装着するステップ１乃至３の手順を説明するための図である。装着部３は、予め天井又は壁面等（図示せず）に固定されているものとする。ステップ１で、ユーザは、光源部２の係合部２１、２２を、装着部３の被係合部３１、３２に嵌めてこれらを係合させる。ステップ２で、ユーザは、光源部２を矢印６４方向に押し込む。これに応じて、被係合部３１、３２は、矢印６１方向に摺動する。ステップ３で、ユーザは、光源部２の保持部２３側の端部を装着部３側へ持ち上げると共に矢印６４方向への押す力を弱めれば、被係合部３１、３２の付勢力により、保持部２３が被保持部３３に保持される。以上の手順で、光源部２は、装着部３に取り付けられる。この構成において、保持部２３で被保持部３３を保持すると同時に、端子部４ａ、４ｂが、端子受部５ａ、５ｂに差し込まれる。
【００２２】
光源部２を装着部３から取り外す際には、ユーザが光源部２を矢印６１方向にスライドさせれば、保持部２３と被保持部３３との保持が解除されるので、光源部２を矢印６４とは反対方向に引き出せば、係合部２１、２２と被係合部３１、３２との係合が解除される。
【００２３】
光源部２を装着部３と着脱させるとき、端子部４ａ、４ｂ及び端子受部５ａ、５ｂは、互いに接触した状態で一方が他方に対して摺動するので、この摺動時に互いに相反する応力を受ける。また、力加減等の影響によっては、差し込み又は引き抜き動作にぶれが生じ、前記摺動方向以外の方向の応力が生じることがある。端子部４ａ、４ｂは、光源部２の装着部３への着脱時に、これらの応力に抗して端子部４ａ、４ｂが基板から抜けることを防ぐ端子部保護機構を有している。また、端子受部５ａ、５ｂは、端子部４ａ、４ｂと同様に、前記応力を逃がして端子受部５ａ、５ｂが基板からの剥がれ、端子受部５ａ、５ｂが損傷を受けることを防ぐ端子受部保護機構を有している。
【００２４】
図４は、照明装置１の分解状態を示す。光源部２は、発光パネル２０と、この発光パネル２０を収納するカバー２５及びケース２６と、を備えている。カバー２５は、透明な矩形平板状部材で構成され、周囲に側壁が立設され、この側壁に嵌合爪２５ａが設けられている。ケース２６は、カバー２５と対向する面が開口した有底の缶形状部材で、発光パネル２０を収納する。ケース２６の側壁内周面には、カバー２５の嵌合爪２５ａが嵌合されて、カバー２５とケース２６とを固定する嵌合溝２６ａ（後述する図５参照）が設けられている。また、ケース２６は、発光パネル２０の端子部４ａ、４ｂが貫通する貫通孔２７ａ、２７ｂを備えている。発光パネル２０は、耐熱性、耐湿性及び応力緩和性に優れる芯材入りのアクリル系両面接着テープ等によって配線基板７に接着固定され、かつ、導電性ワイヤ２９を超音波溶着等することによって配線基板７に電気的に接続されている。配線基板７の材料としては、ガラス繊維布にエポキシ樹脂等を含侵させて硬化させたガラス繊維板、例えば、ＦＲ−４等の、難燃性及び低導電率を両立した基材が用いられる。カバー２５の材料には、例えば、透明なＡＢＳ樹脂やアクリル樹脂、ポリスチレン樹脂等のプラスチック材料が用いられる。また、ケース２６の材料には、カバー２５と同様のものが用いられてもよいが、表面に絶縁処理が施されたアルミニウム等の金属材料といった不透明な材料が用いられてもよい。
【００２５】
装着部３は、ハウジング３０と、収納部３０ａに収納される回路基板３５と、回路基板３５を覆う絶縁板３６と、を備えている。回路基板３５の材料には、配線基板７と同様のものが用いられる。回路基板３５は、発光パネル２０を点灯駆動するための駆動ドライバ等の各種素子を実装している。端子受部５ａ、５ｂは、略Ｌ字形状に屈曲した一対の金属片であり、一方の端部が回路基板３５に接続され、他方の端部が光源部２の端子部４ａ、４ｂを受けるように設けられている。ハウジング３０は、端子受部５ａ、５ｂを、両矢印６５で示す方向にあらかじめ定めた範囲（例えば、１ｍｍ）揺動可能に収納すると共に、端子部４ａ、４ｂが抜き差しされる貫通溝３７ａ、３７ｂを有している。なお、端子受部５ａ、５ｂの、本図中での上面５７ａ（後述する図１０も参照）は、端子部４ａ、４ｂの差し込み方向（本図で上方向）に動かないように、絶縁板３６によって固定されている。
【００２６】
＜端子部保護機構について＞
図５、図６は、光源部２のケース２６をカバー２５上に載せた状態を示す。即ち、カバー２５の外周に沿って一部又は全部に突設されている嵌合爪２５ａを、ケース２６の内周に沿って設けられている嵌合溝２６ａに係合させる直前の状態の端子部４ａ、４ｂを示す。なお、便宜上、図５、図６において、一方の端子部４ａのみを図示し、他方の端子部４ｂの図示を省略している。ケース２６がカバー２５に完全に嵌合させたとき、端子部４ａが、ケース２６の貫通孔２７ａから突出して、ケース２６外へ露出する。
【００２７】
図７は、発光パネル２０の、配線基板７及び端子部４ａ、４ｂの構成を示す。図８は、端子部４ａ、４ｂを下側（図７における配線基板７側）から見た図である。端子部４ａと端子部４ｂとは、部品点数を少なくするため同じ構成であることが好ましいが、例えば、左右対称の別構成であってもよい。以下、便宜上、端子部４ｂについて説明する。なお、端子部４ａは、端子部４ｂの各構成要素の参照番号の末尾を“ｂ”から“ａ”に置き換えて表される、同一の構成要素を備えている。
【００２８】
端子部４ｂは、端子受部５ｂに差し込む接触部４１ｂと、端子部４ｂを備えている光源部２の基板７に電気的に接続される固定部４２ｂ、４３ｂと、接触部４１ｂと固定部４２ｂ、４３ｂとの間を接続する接続部４４ｂと、を備えている。接触部４１ｂは、端子受部５ｂへの差し込み方向に直立した平刃形状に形成されている。固定部４２ｂ、４３ｂは、光源部２の配線基板７と平行な平面を有し、配線基板７の接続パッド７１、７２に半田等によって電気的に接続される。接続部４４ｂは、配線基板７と平行な略十字形状の平面を有し、その一辺に接触部４１ｂが立設され、対峙する２辺に夫々固定部４２ｂ、４３ｂが接続されている。また、接続部４４ｂの接触部４１ｂが設けられている辺と対峙する辺が配線基板７の外周方向に幅広に延設されている。接続部４４ｂは、この延設された部分において、配線基板７の取り付け面に沿う平面と、この平面の周囲から基板側へ折り曲げられている３つの折曲部４５ｂ、４６ｂ、４７ｂと、を有している。
【００２９】
配線基板７は、折曲部４５ｂ、４７ｂに嵌合する切り欠き部７３、７４を有している。切り欠き部とは、基板の周囲から内側へ、対応する折曲部を嵌めるために基板の一部を取り除いた部分をいう。折曲部４５ｂ、４７ｂが、切り欠き部７３、７４と嵌合する。また、折曲部４６ｂは、配線基板７の外周部分７５に係合する。これら折曲部４５ｂ、４６ｂ、４７ｂと、切り欠き部７３、７４とが、端子部保護機構として機能する。なお、必要に応じて、配線基板７の周縁よりも内側に、端子部４ｂの折曲部（例えば折曲部４５ｂ、４７ｂ）に嵌合する貫通孔等の切り抜き部（図示せず）が設けられてもよい。
【００３０】
図９は、端子部４ｂの折曲部４５ｂ、４６ｂ、４７ｂの作用、効果を説明するための図である。折曲部４５ｂ、４７ｂは、被係合部３１、３２の摺動方向（矢印６１、６２方向）に対し、非平行な２本の線状辺である。線状辺とは、複数の折曲部のうち、線状に延びている辺を意味する。この非平行な２本の線状辺は、光源部２の交換に伴って端子部４ｂにかかる応力を受け止め、固定部４２ｂ、４３ｂが接続パッド７１、７２から剥がれることを有効に防ぐ。これにより、光源部２を装着部３と着脱させるときに、端子部４ｂが配線基板７から抜けてしまうことを防止することができる。
【００３１】
折曲部４５ｂ、４７ｂは、配線基板７外周に向いて伸びており、次第に間隔が広がるようになっている。折曲部４５ｂ、４７ｂは、被係合部３１、３２の摺動方向だけでなく、該方向に交差する斜め方向の応力によって、固定部４２ｂ、４３ｂが接続パッド７１、７２から剥がれることを有効に防ぐ。
【００３２】
光源部２を装着部３から取り外す時に、端子部４ｂには、配線基板７の周囲方向への応力がかかる。具体的には、光源部２の取り外すため、光源部２を、図３に示した矢印６１方向にスライドさせると、端子部４ａ、４ｂは、端子受部５ａ、５ｂと接触した状態で摺動されるので、矢印６１とは反対方向への応力を受ける。折曲部４５ｂ、４７ｂ（図７参照）は、非平行な線状部分で前記応力を受け、端子部４ｂが配線基板７から動かないように固定する。この折曲部４５ｂ、４７ｂの働きによって、固定部４２ｂ、４３ｂが接続パッド７１、７２から剥がれることを有効に防ぐ。
【００３３】
折曲部４６ｂは、被係合部３１、３２の摺動方向に対して直交する線状辺である。端子部４ｂには、光源部２を装着部３に取り付ける時に、矢印６１で示される摺動方向、即ち、基板の内側へと向かう応力がかかる。折曲部４６ｂは、配線基板７の外周部分７５に係止しているので、前記応力に最も効率よく抗することができる。この折曲部４６ｂの働きによって、固定部４２ｂ、４３ｂが接続パッド７１、７２から剥がれることを有効に防止することができる。なお、折曲部４６ｂは、配線基板７の外周部分７５に直接係合しているので、配線基板７に切り欠きを設ける必要は無く、切削加工の工程を少なくすることができる。
【００３４】
端子部４ａ、４ｂは、光源部２の保持部２３近傍に設けられていることが望ましい。保持部２３を被保持部３３に保持させる又は保持を解除するとき（図３参照）、係合部２１、２２は被係合部３１、３２に係止された状態にあるので、光源部２と装着部３との位置関係はある程度定められており、上記動作において光源部２の摺動方向以外の方向へのぶれは少ない。そのため、端子部４ａ、４ｂが保持部２３近傍に設けられていれば、端子部４ａ、４ｂに前記摺動方向以外の方向への力がかかり難くなり、端子部４ａ、４ｂの損傷等を抑制することができる。
【００３５】
なお、端子部４ａ、４ｂが、係合部２１、２２の近傍に設けられている場合、光源部２を装着部３に装着させるときに、光源部２と装着部３との位置関係が定められていない状態で、端子部４ａ、４ｂが装着部３に近接することが考えられる。この場合、僅かな手ブレ等であっても、端子部４ａ、４ｂに正しく端子受部５ａ、５ｂに差し込まれず、端子部４ａ、４ｂが損傷等を受ける虞がある。しかし、このような場合であっても、前記端子部保護機構は、端子部４ａ、４ｂが配線基板７から抜けてしまうことを防止することができる。
【００３６】
＜端子受部保護機構について＞
図１０は、端子受部５ａの構成を示す。端子受部５ａと端子受部５ｂとは、部品点数を少なくするため同じ構成であることが好ましいが、例えば、左右対称の構成であってもよい。以下、便宜上、端子受部５ａについて説明する。なお、端子受部５ｂは、端子受部５ａの各構成要素の参照番号の末尾を“ａ”から“ｂ”に置き換えて表される、同一の構成要素を備えている。
【００３７】
端子受部５ａは、端子部４ａとの接触部５１ａと、端子受部５ａを備えている光源部２装着部３の回路基板３５に電気的に接続される固定部５２ａと、接触部５１ａと固定部５２ａとの間を連結する接続部５３ａと、を備えている。接触部５１ａは、平刃形の端子部４ａが差し込まれたときに、その両面を挟み込むことができるようにクリップ状に形成されている。このクリップ状の部分は、端子部４ａの差し込み方向に平行な平板を屈曲させて構成されたものであり、端子部４ａの差し込み方向と直交する平面を有する上面５７ａによって接続部５３ａと接続されている。なお、接触部５１ａの構成は、端子部４ａを差し込むことができるものであれば、前記クリップ状の部分が図中下向きになっているもの等、他の形状のものでもよい。固定部５２ａは、端子部４ａの差し込み方向に直交する、取り付け基板表面に平行な面を有しており、装着部３の回路基板３５（図４参照）の接続パッド（後述する図１２に示す接続パッド３８ａ）に半田によって電気的に接続されている。接続部５３ａは、接触部５１ａと固定部５２ａとの間を電気的に接続している。
【００３８】
接続部５３ａは、端子受部５ａにかかる、端子部４ａの差し込み方向以外への応力を逃がす第１揺動部５４ａと、Ｕ字状の第２揺動部５５ａと、前記差し込み方向への応力を逃がす第３揺動部５６ａと、を有している。これら第１揺動部５４ａ、第２揺動部５５ａ、及び第３揺動部５６ａが端子受部保護機構として機能する。
【００３９】
第１揺動部５４ａは、端子部４ａの差し込み方向と平行な平面を有し、接触部５１ａが両矢印６５方向に揺れ動くことを可能にする板状弾性体である。該構成を採用することによって、差し込み方向以外への応力、例えば、基板に沿う面方向に作用する応力を逃がし、固定部５２ａが回路基板３５から剥がれるのを有効に防ぐことができる。
【００４０】
第２揺動部５５ａは、第１揺動部５４ａから連続する平面を有し、両矢印６６で示す長手方向への伸縮を可能にするＵ字状に湾曲した構成物である。第２揺動部５５ａは、光源部の交換に伴って前記長手方向にかかる応力を逃がし、固定部５２ａが回路基板３５から剥がれるのを有効に防ぐ。
【００４１】
第３揺動部５６ａは、例えば、第１揺動部５４ａ及び第２揺動部５５ａと直交する、端子部４ａの差し込み方向に直交する平面を有し、接触部５１ａが両矢印６７方向に揺れ動くことを可能にする板状弾性体であり、端子受部５ａにかかる差し込み方向（本図で上向き）への力を逃がす。
【００４２】
図１１は、絶縁板３６を取り外した状態の装着部３を示す。端子受部５ａの面５７ａは、装着部３の光源部２とは反対側の面において、絶縁板３６に当接するように設計される。従って、端子受部５ａの第３揺動部５６ａ（図１０参照）は、光源部２が装着部３から取り外される時、すなわち端子部４ａ（図３参照）が端子受部５ａから引き抜かれるときに、この引き抜き方向に撓んで、固定部５２ａにかかる力を逃がし、固定部５２ａが回路基板３５から剥がれることを防ぐ。なお、製造上の誤差等によって、端子受部５ａの収納される貫通溝３７ａと絶縁板３６との間に区画される空間（図１１参照）に、僅かに遊びができる場合があり得る。このような場合には、第３揺動部５６ａは、差し込み方向の力によって固定部５２ａが回路基板３５から剥がれるのを有効に防ぐ。
【００４３】
なお、前記第１揺動部５４ａ、第２揺動部５５ａ、第３揺動部５６ａは、同様の機能を発揮するものであれば、例えば、棒状の弾性体等、他の形状の弾性体でもよい。
【００４４】
図１２は、端子受部５ａ、５ｂの回路基板３５への接続部分を説明するため、図１１に示す状態の装着部３から回路基板３５の基板部分を取り除いた状態を示す。端子受部５ａ、５ｂの固定部５２ａ、５２ｂは、ハウジング３０に設けられており、回路基板３５に接続されている接続パッド３８ａ、３８ｂに、夫々半田によって接続されている。
【００４５】
本発明は、上記実施例の構成に限られず、発明の趣旨を変更しない範囲で種々の変形が可能である。例えば、バックライトを用いる発光パネルも、有機ＥＬ素子を用いる発光パネルと同様に、輝度を挙げた場合に比較的寿命が短くなるという特徴を有しており、本発明の照明装置に使用することができる。
【００４６】
また、上記実施例においては、端子部４ａ、４ｂが光源部２に、端子受部５ａ、５ｂが装着部３に備えられた構成、つまり、光源部２側がオス型端子、装着部３側がメス型端子である構成を示したが、これらの関係が逆であってもよい。具体的には、光源部２の配線基板７に端子受け部５ａ、５ｂが備えられ、装着部３の回路基板３５に端子部４ａ、４ｂが備えられてもよい。
【００４７】
本発明の照明装置は、天井、壁、床、スタンドに取り付けて用いる照明装置に利用することができる。また、発光パネルの寿命に限らず、種類又はサイズを変更することができる照明装置にも利用することができる。また、発光パネルを用いるディスプレイ装置に応用することができる。
【符号の説明】
【００４８】
１    照明装置
２    光源部
３    装着部
４ａ、４ｂ    端子部
５ａ、５ｂ    端子受部
７    配線基板
２０    表示パネル
２１、２２    係合部
２３    保持部
２６    ケース
３０    ハウジング
３１、３２    被係合部
３３    被保持部
３５    回路基板
５１ａ    接触部
５２ａ    固定部
５３ａ    接続部
５４ａ    第１揺動部
５５ａ    第２揺動部
５６ａ    第３揺動部
【図１】
0005834218.tif 000002
【図２】
0005834218.tif 000003
【図３】
0005834218.tif 000004
【図４】
0005834218.tif 000005
【図５】
0005834218.tif 000006
【図６】
0005834218.tif 000007
【図７】
0005834218.tif 000008
【図８】
0005834218.tif 000009
【図９】
0005834218.tif 000010
【図１０】
0005834218.tif 000011
【図１１】
0005834218.tif 000012
【図１２】
0005834218.tif 000013